(57)【要約】【課題】カバーに対して照光ブロックを確実に位置決めする。【解決手段】カバー３には照光ブロック８を収納する収納凹部３６が設けられる。収納凹部３６内には、略半円柱形状の突部３８，３８が形成される。これらの突部３８，３８と、プリント配線板８１に設けた嵌合凹部８４，８４とを嵌合することによって、照光ブロック８をカバー３の短手方向に対してカバー３に確実に位置決めすることができる。しかも、突部３８，３８と嵌合凹部８４，８４とは収納凹部３６に対して照光ブロック８を収納する方向（カバー３の前後方向）に嵌合するため、カバー３に対する照光ブロック８の組立性が悪化することもない。【選択図】図１
2009176687.tif 000002
【特許請求の範囲】
【請求項１】
電源から負荷への給電経路に挿入された接点を開閉するスイッチ機構部と、スイッチ機構部の接点を給電用の電線に接続する端子部と、端子部と電気的に接続され、スイッチ機構部の接点が閉じることによって電源から負荷に給電されているときに点灯する表示灯、及び端子部から表示灯への給電路が形成されるとともに当該表示灯が実装されるプリント配線板を有する照光ブロックと、箱形の合成樹脂成形品からなるボディとカバーを前後方向に結合してなり、内部にスイッチ機構部並びに端子部、照光ブロックを収納する器体とを備え、
スイッチ機構部は、カバー前面に対して前後方向に移動自在に設けられた押釦ハンドルを有し、該押釦ハンドルが押操作される毎に接点を開閉するものであり、
カバーは、照光ブロックを収納する収納凹部と、カバー前面に設けられて照光ブロックの表示灯が発する光を前方へ照射する窓孔と、カバーの内壁より収納凹部側へ突出する１乃至複数の突部とを具備し、
照光ブロックのプリント配線板は、カバーの前後方向から前記突部と嵌合する１乃至複数の嵌合凹部が設けられてなることを特徴とする表示付スイッチ。
【請求項２】
前記突部と嵌合凹部とを嵌合する過程において嵌合凹部の縁を乗り越える突起が前記突部に設けられてなることを特徴とする請求項１記載の表示付スイッチ。
【発明の詳細な説明】
【技術分野】
【０００１】
本発明は、電源から負荷への給電を入切するとともに電源から負荷への給電中に点灯する表示灯を備えた表示付スイッチに関するものである。
【背景技術】
【０００２】
従来、図８に示すような表示付スイッチ２００が提供されている（例えば、特許文献１参照）。
【０００３】
この表示付スイッチ２００は、接点構成が単極切換えであるような所謂３路型の押釦スイッチであって、第１の固定接点２１０、及び第２の固定接点（図示せず）、並びに各固定接点に接離する可動接点（図示せず）を有し、可動接点を第１の固定接点１１０及び第２の固定接点に選択的に接離させることで電源（図示せず）から負荷（図示せず）への給電をオンオフするスイッチ機構部（図示せず）と、可動接点に電気的に接続される第１の端子板２２０と、第１の固定接点２１０に電気的に接続される第２の端子板２３０と、第２の固定接点に電気的に接続される第３の端子板２４０とを備えている。
【０００４】
さらに、表示付スイッチ２００は、可動接点と第１の端子板２２０との間に１次巻線２５１が介装される電流トランス（図示せず）、及び電流トランスの２次巻線（図示せず）の両端部にそれぞれ電気的に接続された一対のコイル接続部２５２，２５２を有するトランスブロック２５０と、一対のコイル接続部２５２，２５２間に接続され、電源から負荷への給電が入（オン）のときに発光する発光ダイオード２６１、及び第２の端子板２３０と第３の端子板２４０との間に接続され、電源から負荷への給電が切（オフ）のときに発光するネオンランプ２６２を有する照光ブロック２６０とを備えている。さらに、表示付スイッチ２００は、箱形の合成樹脂成形品からなるボディ２７０とカバー（図示せず）を前後方向に結合してなる器体の内部に、以上述べたスイッチ機構部と、第１〜第３の端子板２２０〜２４０と、トランスブロック２５０と、照光ブロック２６０とを収納して構成される。
【０００５】
ここで、照光ブロック２６０は、発光ダイオード２６１用の導電パターン２６３ａ及びネオンランプ２６２用の導電パターン２６３ｂが形成されたプリント基板２６３に、発光ダイオード２６１及びネオンランプ２６２を含む電子部品を実装することで構成されている。さらに、照光ブロック２６０には、導電パターン２６３ａにトランスブロック２５０の一対のコイル接続部２５２，２５２を半田付けするための一対のスルーホール２６３ｃ，２６３ｃと、ネオンランプ２６２を第２の端子板２３０に接続するための第１の接続端子２６４と、ネオンランプ２６２を第３の端子板２４０に接続するための第２の接続端子２６５とが設けられている。
【０００６】
そして、このような照光ブロック２６０は、各接続端子２６４，２６５を各端子板２３０，２４０にそれぞれ接触接続するとともに、プリント基板２６３の一対のスルーホール２６３ｃ，２６３ｃを介してトランスブロック２５０の一対のコイル接続部２５２，２５２を発光ダイオード２６１用の導電パターン２６３ａに半田付けした状態で、カバー内に収納されている。
【特許文献１】特開２００１−１８４９９１号公報（図２及び図３参照）
【発明の開示】
【発明が解決しようとする課題】
【０００７】
ところで上記従来例においては、カバーが後方に開口する箱形に形成され、当該カバーの内部に照光ブロック２６０を収納するための収納凹部（図示せず）が設けられており、かかる収納凹部に後方から挿入することで照光ブロック２６０がカバーに組み付けられていた。また、照光ブロック２６０を後方から収納凹部に挿入して組み付けるためには、収納凹部の内壁と照光ブロック２６０のプリント基板２６３との間に隙間（クリアランス）が必要となる。しかしながら、上述のようなクリアランスを設けることで収納凹部内における照光ブロック２６０の位置決めが困難になり、照光ブロック２６０が発する光を前方へ照射するためにカバー前面に設けられている窓孔との位置関係がずれてしまう虞があった。
【０００８】
本発明は、上記事情に鑑みて為されたものであり、その目的は、カバーに対して照光ブロックを確実に位置決めすることのできる表示付スイッチを提供することにある。
【課題を解決するための手段】
【０００９】
請求項１の発明は、上記目的を達成するために、電源から負荷への給電経路に挿入された接点を開閉するスイッチ機構部と、スイッチ機構部の接点を給電用の電線に接続する端子部と、端子部と電気的に接続され、スイッチ機構部の接点が閉じることによって電源から負荷に給電されているときに点灯する表示灯、及び端子部から表示灯への給電路が形成されるとともに当該表示灯が実装されるプリント配線板を有する照光ブロックと、箱形の合成樹脂成形品からなるボディとカバーを前後方向に結合してなり、内部にスイッチ機構部並びに端子部、照光ブロックを収納する器体とを備え、スイッチ機構部は、カバー前面に対して前後方向に移動自在に設けられた押釦ハンドルを有し、該押釦ハンドルが押操作される毎に接点を開閉するものであり、カバーは、照光ブロックを収納する収納凹部と、カバー前面に設けられて照光ブロックの表示灯が発する光を前方へ照射する窓孔と、カバーの内壁より収納凹部側へ突出する１乃至複数の突部とを具備し、照光ブロックのプリント配線板は、カバーの前後方向から前記突部と嵌合する１乃至複数の嵌合凹部が設けられてなることを特徴とする。
【００１０】
請求項１の発明によれば、カバーの内壁より収納凹部側へ突出する１乃至複数の突部が設けられるとともに、カバーの前後方向から前記突部と嵌合する１乃至複数の嵌合凹部が照光ブロックのプリント配線板に設けられているので、カバーの収納凹部内に照光ブロックを収納すれば、突部と嵌合凹部が嵌合することでカバーに対して照光ブロックを確実に位置決めすることができる。しかも、突部と嵌合凹部とは収納凹部に対して照光ブロックを収納する方向（カバーの前後方向）に嵌合するため、カバーに対する照光ブロックの組立性が悪化することもない。
【００１１】
請求項２の発明は、請求項１の発明において、前記突部と嵌合凹部とを嵌合する過程において嵌合凹部の縁を乗り越える突起が前記突部に設けられてなることを特徴とする。
【００１２】
請求項２の発明によれば、突部に設けられた突起が嵌合凹部の縁を乗り越えることで突起と嵌合凹部の縁とが係合するため、カバーの収納凹部から照光ブロックが脱落することを防止できる。また、突起が嵌合凹部の縁を乗り越えることによって、照光ブロックが正常にカバーに組み付けられたことを組立作業者が容易に認識できる。
【発明の効果】
【００１３】
本発明によれば、突部と嵌合凹部が嵌合することでカバーに対して照光ブロックを確実に位置決めすることができる。
【発明を実施するための最良の形態】
【００１４】
以下、本発明の技術思想を単極単投の接点構成を有した片切型の押釦スイッチに適用した実施形態について、図１〜図７を参照して詳細に説明する。但し、この種の押釦スイッチは、特許文献１にも記載されているように従来周知であるから、詳細な構成に関する図示並びに説明は適宜省略する。また、以下の説明では、図２における上下方向を前後方向、同じく図２における左右方向を左右方向と定める。
【００１５】
図２、図３に示すように、前面が開口した矩形箱形の合成樹脂成形品からなるボディ２と、後面が開口した矩形箱形の合成樹脂成形品からなるカバー３とを前後方向に結合することによって器体１が組み立てられる。尚、器体１の外形寸法は、日本工業規格で規格化されている大角形連用配線器具の取付枠（図示せず。ＪＩＳ  Ｃ８３７５参照）の開口窓の長手方向の１／３を占める寸法（言い換えれば、開口窓の長手方向に３個並べて取付枠に取付可能な寸法）に形成されている。カバー３には、取付枠の開口窓に着脱自在に取付可能とするために、両端面に一対の係止爪３１，３１が夫々突設されている。カバー３における片側（図２における右側）の係止爪３１，３１の背部（図２における左側）には空所３２が形成され、係止爪３１がカバー３の内方へ弾性的に撓むようにしてある。したがって、取付枠が具備する係止孔（図示せず）に係止爪３１，３１を係止させることで器体１を取付枠に着脱自在に取り付けることができ、他の埋込型の配線器具と同様にして壁面などの造営面に埋設できるようにしてある。ボディ２とカバー３の結合は、カバー３の後端側の四隅より垂下した４つの係止片３３の係止孔３３ａに、ボディ２の長手方向に沿った両側の側面に形成してある４つの係止突起２１をそれぞれ係止させることにより行なわれる（図３参照）。尚、係止時には係止片３３の弾性と係止突起２１の上端の傾斜面２１ａを利用して簡単に係止ができるようになっている。
【００１６】
器体１内には、電源から負荷（例えば、照明器具）への給電経路に挿入される接点（固定接点４０及び可動接点４１ａ）を開閉するスイッチ機構部４と、スイッチ機構部４の接点を給電用の電線に接続する３つの端子部５，６，７と、２つの端子部６，７と電気的に接続され、スイッチ機構部４の接点が閉じることによって電源から負荷に給電されているときに点灯する表示灯８０、及び端子部６，７から表示灯８０への給電路が形成されるとともに当該表示灯８０が実装されるプリント配線板８１を有する照光ブロック８とが収納される。
【００１７】
ボディ２の内部は、複数の隔壁２２によって左右方向に並ぶ３つの収納部（電源側端子収納部２３Ａ，負荷側端子収納部２３Ｂ，中央収納部２３Ｃ）に区画されている。右端に位置する電源側端子収納部２３Ａには、電源（商用交流電源）の一方の極（非接地側の極）に繋がった電線が接続される電源側端子部５が収納され、左端に位置する負荷側端子収納部２３Ｂには、負荷の電源と接続されていない側の端子に繋がった電線が接続される第１の負荷側端子部６、及び負荷の電源と接続されている側の端子に繋がった電線が接続される第２の負荷側端子部７が一緒に収納される。これら３つの端子部５〜７は、それぞれに形状の異なる端子板５０，６０，７０と、２つ又は１つの錠ばね５１，６１，７１と、解除釦５２，６２とで構成されたねじなし端子（速結端子）からなる。但し、合計４つの錠ばね５１，６１，７１並びに合計２つの解除釦５２，６２はそれぞれ同一のものである。また、第１の負荷側端子部６と第２の負荷側端子部７は、１つの解除釦６２を共用している。尚、この種の速結端子については、特許文献１にも記載されているように従来周知であるから詳細な説明は省略する。
【００１８】
図６に示すように、ボディ２の底部には、電源側端子収納部２３Ａ並びに負荷側端子収納部２３Ｂに貫通した各々２つの電線挿入孔２４と、解除釦５２，６２を押し駆動する工具（例えば、マイナスドライバ）を挿入するための解除孔（図示せず）とが設けられている。すなわち、被覆を剥いだ電線を電線挿入孔２４を通して器体１内に挿入すれば、電線の導体（図示せず）が端子板５０，６０，７０と錠ばね５１，６１，７１との間で狭持され、電線（導体）と端子板５０，６０，７０とが電気的且つ機械的に接続される。また、解除孔に挿入した工具の先端で解除釦５２，６２を押操作すれば、解除釦５２，６２を介して錠ばね５１，６１，７１を撓ませることにより、電線（導体）と端子板５０，６０，７０との機械的な接続状態を解除し、電線を電線挿入孔２４から引き抜くことができる。
【００１９】
電源側端子部５の端子板５０には略Ｌ字形の支持片５０ａが一体に設けられており、この支持片５０ａの先端部分がボディ２の内底面に沿って中央収納部２３Ｃ内まで延設されている（図６参照）。また、第１の負荷側端子部６の端子板６０には、先端部分に固定接点４０が固着された延設片６０ａが一体に形成されており、この延設片６０ａを延出して中央収納部２３Ｃ内に固定接点４０を位置させている。尚、第１の負荷側端子部６の端子板６０と、第２の負荷側端子部７の端子板７０とは、互いに電気的に隔絶された状態で負荷側端子収納部２３Ｂに収納されている。
【００２０】
スイッチ機構部４は、固定接点４０、可動接点４１ａ、開閉体４１、コイルスプリング（図示せず）、反転ハンドル４２、押釦ハンドル４３、スライドカム（図示せず）、復帰ばね４４で構成される。金属板からなる開閉体４１は、その後端を端子板５０の支持片５０ａの前面に当接させるようにしてボディ２の中央収納部２３Ｃに収納される。ボディ２の中央収納部２３Ｃ内において短手方向に対向する内壁には、開閉体４１の両端が嵌り込むＶ状凹部２５が設けられている（図６参照）。したがって、開閉体４１は、Ｖ状凹部２５の後端部に当接した部位を支点として、中央収納部２３Ｃ内で左右方向に回動自在に収納される。ここで、開閉体４１の端子板６０と対向する面には可動接点４１ａが固着されており、開閉体４１が回動して左側に倒れたときに可動接点４１ａと固定接点４０とが接触して接点が閉じ、開閉体４１が反対向きに回動して右側に倒れたときに可動接点４１ａと固定接点４０とが離間して接点が開くことになる。そして、開閉体４１の後端部が端子板５０の支持片５０ａと当接しているので、接点が閉じたときに電源側端子部５と第１の負荷側端子部６とがスイッチ機構部４の固定接点４０、可動接点４１ａ、開閉体４１を介して導通するのである。
【００２１】
反転ハンドル４２は、カバー３の前面に設けられた凹部３４の底面に開口した孔３４ａを通して後方から凹部３４内に挿入され、筒部４２ａの両側に設けた逆三角形状の軸４２ｂをカバー３の内壁に形成された軸受け３５（図５参照）に枢支させて回動自在に取り付けられる。反転ハンドル４２の上部両端にはスライドカムに掛合する掛合突起４２ｃ，４２ｃがそれぞれ突設されている。コイルスプリングは、後端部が開閉体４１の前縁に突設されたばね座４１ｂに係止された状態で反転ハンドル４２の筒部４２ａ内に圧縮状態で収められる。したがって、反転ハンドル４２が回動することでコイルスプリングが左右方向に屈曲し、コイルスプリングの屈曲する方向に応じて開閉体４１が反転駆動されるのである。
【００２２】
押釦ハンドル４３は、カバー３の凹部３４の両側内壁面に形成された前後方向の係止溝３４ｂ，３４ｂに係止突起４３ａ，４３ａを各々係止して前後方向移動自在に凹部３４内に収納されている。復帰ばね４４は、押釦ハンドル４３の後面に取り付けられるものであって、後向きに開拡した２つの復帰ばね片４４ａ，４４ａを有している。そして、復帰ばね片４４ａ，４４ａの先端が凹部３４の底面に弾接することにより、押釦ハンドル４３が前方へ常時弾性付勢されている。スライドカムは、押釦ハンドル４３の後面において左右方向に摺動自在に装着されており、押釦ハンドル４３が押操作される毎に、右向き及び左向きに交互に摺動する。また、スライドカムには反転ハンドル４２の掛合突起４２ｃに対応させて一対の掛合カム体（図示せず）が突設されている。而して、押釦ハンドル４３が押操作されて後方へ移動すると、スライドカムの一方の掛合カム体が反転ハンドル４２の一方の掛合突起４２ｃに当たり、押釦ハンドル４３が後方へ移動するにつれて反転ハンドル４２が回動し、その結果、反転ハンドル４２の倒れる向きが反転することで開閉体４１が反転駆動される。
【００２３】
尚、図示は省略しているが、器体１（カバー３）の前面には押釦ハンドル４３よりも大きい寸法に形成された操作ハンドルが着脱自在に取り付けられる。この操作ハンドルは、カバー３前面における左側端部より前方へ突設されている一対の軸部３ｂに、前後方向において回動自在に軸支される。つまり、操作ハンドルを押操作することでスイッチ機構部４の押釦ハンドル４３を押操作することができ、スイッチ機構部４の操作性が向上するものである。
【００２４】
次に、照光ブロック８について説明する。照光ブロック８のプリント配線板８１は、図４に示すように一対の腕部８１ａ，８１ａと一つの胴部８１ｂを有して略Ｔ字形に形成され、胴部８１ｂの前面に発光ダイオードからなる表示灯８０が実装されるとともに、限流用の抵抗等の電子部品８２が各腕部８１ａの前面に実装されている。そして、プリント配線板８１の前面に形成された導体パターン８５によって表示灯８０と電子部品８２が電気的に接続（直列接続）されている。プリント配線板８１に実装された表示灯８０及び電子部品８２の直列回路は、一対の接触子８３，８３が端子板６０，７０に各別に弾接することによって、第１の負荷側端子部６と第２の負荷側端子部７との間に電気的に接続される。接触子８３は、略Ｌ字形に曲げ加工された接触片８３ａが先端側に設けられるとともに、折り重なるように曲げ加工された差込部８３ｂが後端側に設けられている。一方、プリント配線板８１の両腕部８１ａ，８１ａには矩形の差込孔８１ｃ，８１ｃが貫通されており、各差込孔８１ｃ，８１ｃに差込部８３ｂが後方から差し込まれることで一対の接触子８３，８３がそれぞれプリント配線板８１に取り付けられる。尚、差込孔８１ｃに差し込まれた差込部８３ｂは、プリント配線板８１前面に形成されている導体パターン８５の端部に半田付けされる。
【００２５】
上述のように構成される照光ブロック８は、図１及び図５に示すようにカバー３に設けられた収納凹部３６に収納される。この収納凹部３６は、カバー３の前壁から後方へ突出する突壁（中央突壁３６ａ及び側方突壁３６ｂ，３６ｂ）と、長手方向に対向する左右両側の側壁のうちで左側の側壁３ｃとに囲まれた空間からなる。中央突壁３６ａは、後方から見て略コ字形に形成されている。また、一対の側方突壁３６ｂ，３６ｂは、中央突壁３６ａの端部とカバー３の長手方向に沿った各側壁とを繋ぐ平坦な形状に形成されている。したがって、収納凹部３６は後方から見て略Ｔ字形に形成されている。尚、収納凹部３６内の前壁には、照光ブロック８の表示灯８０が発する光を前方へ照射するための窓孔３ｄが前後方向に貫設され、さらに、この窓孔３ｄには、透光性を有する合成樹脂成形品からなる透光性カバー３ｅが嵌め込まれている（図３参照）。
【００２６】
収納凹部３６内に収納される照光ブロック８は、カバー３の前壁から前方へ突設された３つの支持突起３７ａ，３７ｂ，３７ｂによって支持される。支持突起３７ａは、前方から見て略コ字形に形成され、中央突壁３６ａに囲まれた空間内に配置されている。また、一対の支持突起３７ｂ，３７ｂは、前方から見て幅細の矩形状に形成され、側壁３ｃの両端付近に配置されている。そして、収納凹部３６内に照光ブロック８を収納すれば、プリント配線板８１の胴部８１ｂの先端部分が支持突起３７ａに前方から当接支持され、一対の腕部８１ａ，８１ａがそれぞれ支持突起３７ｂ，３７ｂに前方から当接支持されるとともに、突壁（中央突壁３６ａ及び側方突壁３６ｂ，３６ｂ）とカバー３の側壁３ｃによって左右方向に位置規制される。
【００２７】
ここで、一対の支持突起３７ｂ，３７ｂの内側に、カバー３の側壁３ｃ及び前壁より収納凹部３６内へ突出する略半円柱形状の突部３８，３８が形成されている。一方、プリント配線板８１の腕部８１ａ，８１ａには、これら一対の突部３８，３８と前後方向に嵌合する略半円形状の嵌合凹部８４，８４が形成されている。したがって、カバー３に照光ブロック８を組み付ける際、収納凹部３６内に後方から照光ブロック８を収納すれば、一対の突部３８，３８とプリント配線板８１の一対の嵌合凹部８４，８４とが嵌合することになる。而して、カバー３の長手方向に沿った両側の側壁により、カバー３の長手方向におけるプリント配線板８１の位置決めを行い、さらに、突部３８，３８と嵌合凹部８４，８４との嵌合によって、カバー３の短手方向におけるプリント配線板８１の位置決めを行うことができる。つまり、従来例と同様に突部３８，３８及び嵌合凹部８４，８４を設けなかった場合、プリント配線板８１とカバー３の長手方向に沿った両側の側壁との間の隙間（クリアランス）によって、カバー３の短手方向における照光ブロック８の位置決めが困難になるが、本実施形態では、上述のようにカバー３に設けた突部３８，３８と、プリント配線板８１に設けた嵌合凹部８４，８４とを嵌合することによって、照光ブロック８をカバー３の短手方向に対してカバー３に確実に位置決めすることができる。しかも、突部３８，３８と嵌合凹部８４，８４とは収納凹部３６に対して照光ブロック８を収納する方向（カバー３の前後方向）に嵌合するため、カバー３に対する照光ブロック８の組立性が悪化することもない。
【００２８】
さらに本実施形態においては、突部３８，３８と嵌合凹部８４，８４とを嵌合する過程において、嵌合凹部８４，８４の縁を乗り越える突起３８ａ，３８ａが突部３８，３８に設けられている。この突起３８ａは、突部３８の周面より突出する半環形状に形成されいる（図１参照）。而して、突部３８，３８に設けられた突起３８ａ，３８ａが嵌合凹部８４，８４の縁を乗り越えることで突起３８ａ，３８ａと嵌合凹部８４，８４の縁とが係合するため、カバー３の収納凹部３６から照光ブロック８が脱落することを防止できる。また、突起３８ａ，３８ａが嵌合凹部８４，８４の縁を乗り越えることにより、照光ブロック８が正常にカバー３に組み付けられたことを組立作業者が容易に認識できるという利点もある。
【００２９】
尚、本実施形態では、プリント配線板８１の腕部８１ａ，８１ａを支持する支持突起３７ｂ，３７ｂが、図７（ａ）に示すように前方から見て幅細の矩形状に形成されているが、図７（ｂ）に示すように突部３８，３８と同心であり且つ突部３８，３８よりも半径の大きい略半円柱形状に形成されていても構わない。
【００３０】
上述のように構成される本実施形態は、電源（商用交流電源）の電圧側極に電源側端子部５が接続され、電源の接地側極に対して第２の負荷側端子部７が負荷の一端とともに接続され、第１の負荷側端子部６が負荷の他端に接続される。つまり、照光ブロック８は、電源に対して第１及び第２の負荷側端子部６，７を介して負荷と並列に接続され、接点が開いているときは表示灯８０が消灯し、接点が閉じて電源から負荷に給電されているときに表示灯８０が点灯することで負荷の動作状態を表示することができる。
【００３１】
尚、本実施形態では単極単投の片切型について例示したが、これに限定する趣旨ではなく、２極単投の両切型や単極切換の３路型若しくは４路型の表示付スイッチにも本発明の技術思想が適用可能であることは明らかである。
【図面の簡単な説明】
【００３２】
【図１】本発明の実施形態を示し、（ａ），（ｂ）はカバーの収納凹部に照光ブロックを収納した状態の一部省略した斜視図である。
【図２】同上の分解斜視図である。
【図３】同上の斜視図である。
【図４】同上における照光ブロックの平面図である。
【図５】同上におけるカバーと照光ブロックの分解斜視図である。
【図６】同上におけるカバーを省略した平面図である。
【図７】（ａ），（ｂ）は同上におけるカバーの要部を示した斜視図である。
【図８】従来例を示す一部省略した分解斜視図である。
【符号の説明】
【００３３】
２  カバー
８  照光ブロック
３６  収納凹部
３８  突部
８０  表示灯
８１  プリント配線板
８４  嵌合凹部
【図１】
2009176687.tif 000003
【図２】
2009176687.tif 000004
【図３】
2009176687.tif 000005
【図４】
2009176687.tif 000006
【図５】
2009176687.tif 000007
【図６】
2009176687.tif 000008
【図７】
2009176687.tif 000009
【図８】
2009176687.tif 000010